(57)【特許請求の範囲】
【請求項１】
２チャンネルの信号を再生する再生手段の再生信号を処理して少なくとも左右２チャンネルのフロント信号を含む複数チャンネル信号を出力するサラウンド処理部と、その出力を各チャンネル毎に増幅する増幅回路を備えた音響装置であって、
前記再生手段による再生信号以外のマルチチャンネル信号を入力するべく、少なくとも左右２チャンネルのフロント信号を入力する入力端子と前記サラウンド処理部による出力信号がないサブウーハ信号を入力する入力端子を有するマルチチャンネル入力部と、
前記サラウンド処理部とマルチチャンネル入力部よりの左右２チャンネルのフロント信号を増幅する左右２チャンネルの低音増強可変付き増幅回路と、
前記マルチチャンネル入力部のサブウーハ信号入力端子よりのサブウーハ信号を増幅することなく出力するサブウーハ出力端子と、
前記マルチチャンネル入力部のサブウーハ信号入力端子から前記低音増強可変付き増幅回路の前段にサブウーハ信号を入力させるべく接続されたミキシングスイッチと、
前記ミキシングスイッチのＯＮ・ＯＦＦ切換を制御する低音増強制御手段とを備え、
前記低音増強制御手段によるミキシングスイッチのＯＮにより前記左右２チャンネルのフロント信号にサブウーハ信号をミキシングして低音増強するように構成したことを特徴とする音響装置。
【請求項２】
前記低音増強制御手段は、複数の増強レベル可変機能と共に、ミキシングスイッチのＯＮ・ＯＦＦ切換機能を有するように構成したことを特徴とする請求項１記載の音響装置。
【請求項３】
前記低音増強制御手段は、制御部と操作部を備え、操作部が所定時間以上押圧された場合に通常の増強レベル可変制御からミキシング制御に切り換えられるように構成したことを特徴とする請求項２記載の音響装置。
【請求項４】
前記ミキシング制御は、押圧される毎にミキシングスイッチをＯＮからＯＦＦに、またはＯＦＦからＯＮに交互に切り換えるように構成したことを特徴とする請求項３記載の音響装置。
【請求項５】
前記低音増強制御手段は、サブウーハ出力端子にサブウーハ接続検出手段を有し、前記ミキシング制御はサブウーハ出力端子に所定の接続端子が接続されていない場合にＯＮ出力するように構成したことを特徴とする請求項３記載の音響装置。
【請求項６】
前記増幅回路は、２以上の周波数域に分割して増幅する増幅回路であって、ミキシングスイッチにより入力させるサブウーハ信号は低域増幅回路のみに入力されるように構成したことを特徴とする請求項１記載の音響装置。
【発明の詳細な説明】
【０００１】
【発明の属する技術分野】
本発明は、マルチチャンネル入力を備える音響装置に関わり、特にサブウーハ入力を有する音響装置に関するものである。
【０００２】
【従来の技術】
２チャンネル（以下、チャンネルをＣＨという）のステレオよりＣＨ数の多い音響方式は一般にマルチＣＨ方式と呼ばれている。このマルチＣＨ方式は、臨場感、表現力の優れた音響再生が可能であるため劇場映画などで早くから採用されている。
【０００３】
このマルチＣＨ音響をパッケージメディアに記録する際の記録方式には、複合マルチＣＨと独立マルチＣＨの２つの方式がある。
【０００４】
複合マルチＣＨは、放送メディアやビデオなど２ＣＨ分しか記録できないパッケージメディアにマルチＣＨを一旦２ＣＨにエンコードして記録する方式である。再生時に２ＣＨ信号の和や差などの信号処理でマルチＣＨを取り出すために各ＣＨの独立性を欠くが、２ＣＨステレオと完全な互換があるため民生分野に早くから普及している。この複合マルチＣＨ記録方式の規格のひとつにドルビープロロジックがある。ドルビープロロジック規格は、フロント２ＣＨ、センター１ＣＨ、サラウンド２ＣＨの５ＣＨを２ＣＨにエンコードして記録し、再生時に５ＣＨにデコードする。
【０００５】
一方、独立マルチＣＨ方式は音響の各ＣＨの相互関係を持たず、完全に独立して記録する方式である。この独立マルチＣＨ方式はＤＶＤですでに採用されており、新たなパッケージメディアやデジタルＴＶ放送やデジタル通信ネットワークの音響方式として今後一般化するものと考えられる。この独立マルチＣＨ記録方式の規格のひとつにドルビーデジタルがある。ドルビーデジタル規格は６ＣＨ方式を採用おり、フロント２ＣＨ、センター１ＣＨ、サラウンド２ＣＨの５ＣＨに、低音専用のサブウーハ１ＣＨを加えたものである。
【０００６】
図７は従来技術による複合マルチＣＨの音響装置のブロック構成を示す。図７において、１２はサラウンド処理部、１３は外部入力端子であり１４は５ＣＨ増幅回路、１５は出力端子、１６は再生手段、１７は制御手段、１８はスピーカであり１８Ｌはフロント左、１８Ｒはフロント右、１８Ｃはセンター、１８ＬＳサラウンド左、１８ＲＳはサラウンド右の各スピーカ、１９はボリウム、２０は入力切替手段である。
【０００７】
まず再生手段１６で２ＣＨ再生信号を出力する。次段のサラウンド処理部１２は２ＣＨの音響信号を５ＣＨに展開する。５ＣＨの信号はボリウム１９をへて５ＣＨ増幅回路１４で増幅される。これをフロント２台、センター１台、サラウンド２台の合計５台のスピーカによって再生する。入力切替手段２０は図示しない複数の再生手段および外部入力端子１３からの入力を選択するように構成されている。
【０００８】
【発明が解決しようとする課題】
このような音響装置は、複合マルチＣＨの再生システムであるが、独立マルチＣＨ再生機器の普及に伴い独立マルチＣＨ対応の入力端子を備えることが求められるようになった。前述のとおり独立マルチＣＨは６ＣＨ方式であるが、このうちフロント２ＣＨ、センター１ＣＨ、サラウンド２ＣＨの５ＣＨは複合マルチＣＨと共通の構成である。独立マルチＣＨではこれに加えて低音専用のサブウーハ１ＣＨを備ええた６ＣＨ方式を構成している。
【０００９】
複合マルチＣＨの再生システムに独立マルチＣＨの入力端子を付加する方法として、第一にサブウーハＣＨに増幅回路を備える構成が考えられる。しかしこの構成では、使用者が独立マルチＣＨ機器を接続しない場合にはサブウーハＣＨの増幅回路は使用されず過剰装備となる。第二にサブウーハＣＨには増幅回路を経ることなくサブウーハ出力端子に出力し、外部に選択装備（オプション）のアンプ内蔵型サブウーハ（以下、アクティブサブウーハという）を接続する構成が考えられる。この構成では独立マルチＣＨ機器を接続しない場合も過剰装備とはならない。しかしながら、選択装備を加えなければ独立マルチＣＨに対応できないという問題がある。
【００１０】
本発明は、サブウーハ信号を有するマルチＣＨ入力の再生において、アクティブサブウーハを接続しない場合はサブウーハ信号をサブウーハ以外の何れかの信号にミキシングすることによって出力することができ、アクティブサブウーハを接続する場合は各々のＣＨ信号とサブウーハ信号の独立性を保つことができるように切り換えることができる音響装置をを提供することを目的としてなされたものである。
【００１１】
【課題を解決するための手段】
この課題を解決するために本発明の音響装置は、２チャンネルの信号を再生する再生手段の再生信号を処理して少なくとも左右２チャンネルのフロント信号を含む複数チャンネル信号を出力するサラウンド処理部と、その出力を各チャンネル毎に増幅する増幅回路を備えた音響装置であって、前記再生手段による再生信号以外のマルチチャンネル信号を入力するべく、少なくとも左右２チャンネルのフロント信号を入力する入力端子と前記サラウンド処理部による出力信号がないサブウーハ信号を入力する入力端子を有するマルチチャンネル入力部と、前記サラウンド処理部とマルチチャンネル入力部よりの左右２チャンネルのフロント信号を増幅する左右２チャンネルの低音増強可変付き増幅回路と、前記マルチチャンネル入力部のサブウーハ信号入力端子よりのサブウーハ信号を増幅することなく出力するサブウーハ出力端子と、前記マルチチャンネル入力部のサブウーハ信号入力端子から前記低音増強可変付き増幅回路の前段にサブウーハ信号を入力させるべく接続されたミキシングスイッチと、前記ミキシングスイッチのＯＮ・ＯＦＦ切換を制御する低音増強制御手段とを備えたものである。
【００１２】
これにより、低音増強制御手段によるミキシングスイッチのＯＮによりサブウーハ信号を２チャンネルのフロント信号にミキシングすることによって低音を増強して出力することができ、必要により低音増強可変付き増幅回路により低音の増強ができ、またサブウーハを必要とするときだけアクティブサブウーハを選択装備すればよいので、複合マルチチャンネル再生だけでよいときにはサブウーハ用増幅器がなくてもよいこととなる。
【００１３】
【発明の実施の形態】
本発明の請求項１に記載の発明は、２チャンネルの信号を再生する再生手段の再生信号を処理して少なくとも左右２チャンネルのフロント信号を含む複数チャンネル信号を出力するサラウンド処理部と、その出力を各チャンネル毎に増幅する増幅回路を備えた音響装置であって、前記再生手段による再生信号以外のマルチチャンネル信号を入力するべく、少なくとも左右２チャンネルのフロント信号を入力する入力端子と前記サラウンド処理部による出力信号がないサブウーハ信号を入力する入力端子を有するマルチチャンネル入力部と、前記サラウンド処理部とマルチチャンネル入力部よりの左右２チャンネルのフロント信号を増幅する左右２チャンネルの低音増強可変付き増幅回路と、前記マルチチャンネル入力部のサブウーハ信号入力端子よりのサブウーハ信号を増幅することなく出力するサブウーハ出力端子と、前記マルチチャンネル入力部のサブウーハ信号入力端子から前記低音増強可変付き増幅回路の前段にサブウーハ信号を入力させるべく接続されたミキシングスイッチと、前記ミキシングスイッチのＯＮ・ＯＦＦ切換を制御する低音増強制御手段とを備えた音響装置としたものであり、前記低音増強制御手段によるミキシングスイッチのＯＮにより前記左右２チャンネルのフロント信号にサブウーハ信号をミキシングして低音増強することができるという作用を有する。
【００１４】
請求項２に記載の発明は、前記低音増強制御手段が、複数の増強レベル可変機能と共に、ミキシングスイッチのＯＮ・ＯＦＦ切換機能を有するように構成されたことを特徴とする請求項１記載の音響装置としたものであり、フロント信号の低音が増強されるという点で共通の効果がある複数の増強レベル可変機能と共に、ミキシングスイッチのＯＮ・ＯＦＦ切換機能の制御を共用化するという作用を有する。
【００１５】
請求項３に記載の発明は、前記低音増強制御手段が、制御部と操作部を備え、操作部が所定時間以上押圧された場合に通常の増強レベル可変制御からミキシング制御に切り換えられるように構成したことを特徴とする請求項２記載の音響装置としたものであり、操作部を共用化し操作部の煩雑化を防ぐという作用を有する。
【００１６】
請求項４に記載の発明は、前記ミキシング制御が、押圧される毎にミキシングスイッチをＯＮからＯＦＦに、またはＯＦＦからＯＮに交互に切り換えるように構成されたことを特徴とする請求項３記載の音響装置としたものであり、単一の操作部の簡潔な動作でミキシングスイッチのＯＮ、ＯＦＦ状態を遷移させる
という作用を有する。
【００１７】
請求項５に記載の発明は、前記低音増強制御手段が、サブウーハ出力端子にサブウーハ接続検出手段を有し、前記ミキシング制御はサブウーハ出力端子に所定の接続端子が接続されていない場合にＯＮ出力するように構成されたことを特徴とする請求項３記載の音響装置としたものであり、サブウーハの接続状態に応じたミキシングスイッチを切り換えを行うことができるという作用を有する。
【００１８】
請求項６に記載の発明は、  前記増幅回路が、２以上の周波数域に分割して増幅する増幅回路であって、ミキシングスイッチにより入力させるサブウーハ信号は低域増幅回路のみに入力されるように構成されたことを特徴とする請求項１記載の音響装置としたものであり、フロント高域はサブウーハ信号をフロント信号に混合した場合でもＣＨの独立性が保たれ、フロント低域は低音増強可変の範囲を大きくとることが可能となる構成とすることができるという作用を有する。
【００２０】
以下本発明の実施の形態について、図１から図６を用いて説明する。
（実施の形態１）
図１は本発明の第１の実施の形態における音響装置のブロック構成を示し、図１において、１は再生手段、２はサラウンド処理部である。３はマルチＣＨ入力部であり、３Ｌはフロント左、３Ｒはフロント右、３Ｃはセンター、３ＬＳサラウンド左、３ＲＳはサラウンド右、３ＬＦＥはサブウーハの各ＣＨの信号入力端子である。４は増幅回路であり、４Ｌはフロント左、４Ｒはフロント右の各ＣＨの低音増強可変付き増幅回路であり、４Ｃはセンター、４ＬＳサラウンド左、４ＲＳはサラウンド右の各チャンネルの増幅回路である。５Ｌはフロント左の出力端子であり、５２はフロントＲ、５Ｃはセンター、５ＬＳはサラウンド左、５ＲＳはサラウンド右、５ＬＦＥはサブウーハの各出力端子である。６はミキシングスイッチである。７は低音増強制御手段であり７Ａは制御部、７Ｂは操作部、７Ｃは表示部を構成している。
【００２１】
図２は同音響装置と外部機器の接続の一実施形態のブロック構成を示し、１０は第１の実施の形態における音響再生回路、８Ｌはフロント左スピーカ、８Ｒはフロント右、８Ｃはセンター、８ＬＳサラウンド左、８ＲＳはサラウンド右の各スピーカ、９ＬＦＥはアクティブサブウーハ、１１は独立マルチＣＨ再生装置を構成している。
【００２２】
以上のように構成された音響装置について、以下その動作について説明する。
まず再生手段１はＣＤやＭＤなど２ＣＨのパッケージメディアを再生するドライブ装置や、ＦＭやＴＶなどの放送チューナなどである。次段のサラウンド処理部２は２ＣＨの音響信号を５ＣＨに展開するサラウンドプロセッシングユニットである。この展開は多重音響の復調と、純粋２ＣＨに音場効果を施す２つの異なった機能を持っている。再生手段１は前述のように２ＣＨの出力しか持たないが、パッケージメディアや放送にドルビー・サラウンドなどの複合マルチＣＨ方式で記録されている場合にはサラウンド処理部２でこれを展開し５ＣＨ音響信号を得ることができる。一方、パッケージメディアや放送が純粋な２ＣＨで記録されている場合にサラウンド処理部２は、残響処理などを行うことによって仮想的な音場加工による５ＣＨ音響信号を得ることができる。
【００２３】
複合マルチＣＨを再生する場合、再生手段１で再生されサラウンド処理部２で５ＣＨに展開された音響信号は各ＣＨごとに増幅回路４Ｌ，４Ｒ，４Ｃ，４ＬＳ，４ＲＳで増幅される。ここで特にフロントＬとフロントＲの増幅回路４Ｌ，４Ｒは低音増強可変つきの増幅回路である。これは低周波帯域の利得を高くして低音を増強することができる増幅回路で低音増強増強制御手段７の制御により低音増強の強弱が可変ができる。増幅された音響信号は各ＣＨの出力端子５Ｌ，５Ｒ，５Ｃ，５ＬＳ，５ＲＳより出力され、フロントスピーカ８Ｌ，８Ｒ、センタースピーカ８Ｃ、サラウンドスヒーカ８ＬＳ，８ＲＳの５台のスピーカにより５ｃｈサラウンド音響を構成することができる。
【００２４】
マルチＣＨ入力部３はＤＶＤプレイヤーなど独立６ＣＨ再生機器を接続するための外部入力端子である。このマルチＣＨ入力部３に独立マルチＣＨ再生装置１１を接続して使用する場合、マルチＣＨ入力部３へ入力された６ＣＨのうちサブウーハ信号を除く５ＣＨは複合マルチＣＨと同様に増幅し各ＣＨの出力端子より出力され、サブウーハ信号はサブウーハ出力端子５ＬＦＥにアクティブサブウーハ９ＬＦＥを接続し、これを前記５台のスピーカに加えて６ＣＨサラウンドを構成することができる。
【００２５】
ミキシングスイッチ６はサブウーハ信号をフロントＬ，Ｒの各ＣＨに混合するスイッチである。このミキシングスイッチ６は低音増強制御手段７によってＯＮ・ＯＦＦを切り換えられる。このミキシングスイッチ６をＯＮとするとサブウーハ信号はフロントＬ，Ｒの各ＣＨに混合されフロントとサブウーハの混合信号としてフロントスピーカ８Ｌ，８Ｒにより再生される。このとき、センタースピーカ８Ｃとサラウンドスピーカ８ＬＳ，ＲＳはこのミキシングスイッチ６のＯＮ・ＯＦＦに関わりなく各ＣＨの独立性を保ったまま再生される。
【００２６】
以上のように構成された音響装置について、図３のフローチャートを参照しながら説明する。
【００２７】
図３における低音増強ＳＷは、図１の低音増強制御手段７の操作部７Ｂに含まれるスイッチであり、図３の低音増強レベルは図１の低音増強可変付き増幅回路４Ｌ，４Ｒの制御を、図３のミキシングスイッチＯＮ、ＯＦＦは図１のミキシングスイッチ６の制御を示している。また低音増強レベルとミキシングスイッチ６の状態は図１の表示部７Ｃに表示される。
【００２８】
まず、ステップＳ１において低音増強制御手段７の操作部７Ｂのスイッチが押圧されたか否かを判断し、押圧されると次のステップＳ２において押圧時間が２秒以上か否かを判断する。ここで、２秒以下の場合はステップＳ３に進み、ここで増幅回路４Ｌ，４Ｒの低音増強レベルが最大であるか否かを判断し、最大レベルにない場合はステップＳ４に進んで増幅回路４Ｌ，４Ｒの低音増強レベルを１レベルアップする制御指令を出力する。またステップＳ３で最大レベルにある場合は、ステップＳ５に進んで低音増強レベルを最小に設定する制御指令を出力する。そして、ステップＳ１の押圧がステップＳ２における２秒以下で、ステップＳ３の判断が最大レベルでない場合は、その都度低音増強レベルを１レベルアップし、以後ステップＳ３が最大レベルを判断するまで繰り返されることとなる。ここで低音増強レベルは、最小レベルから最大レベルまで複数段のレベルが設定できるようになっており、何段階かは特に問わない。
【００２９】
次に、ステップＳ２で押圧時間が２秒以上と判断された場合はステップＳ６に進み、ミキシングスイッチ６がＯＮ状態にあるか否かを判断し、ＯＮ状態でなければステップＳ７に進み、制御部７Ａはミキシングスイッチ６をＯＮにする制御指令を出力する。またステップＳ６でＯＮ状態であればステップＳ８に進み、制御部７Ａはミキシングスイッチ６をＯＦＦにする制御指令を出力する。
【００３０】
すなわち、操作部７Ｂのスイッチの２秒以上の押圧がされる毎に、ミキシングスイッチ６のＯＮ・ＯＦＦを切り換えることとなり、これにより入力端子３ＬＦＥに入力されるサブウーハ信号のフロント信号へのミキシングのＯＮ・ＯＦＦ制御を行うことができる。
【００３１】
以上のように本実施形態によれば、マルチＣＨ入力部３からの独立６ｃｈの入力の再生においてサブウーハ出力端子５ＬＦＥにアクティブサブウーハ９ＬＦＥが接続されている場合はこれを含む６台のスピーカで６ｃｈサラウンドを構成することができ、サブウーハ出力端子５ＬＦＥにアクティブサブウーハ９ＬＦＥが接続されていない場合はこれを含まない５台のスピーカにより５ｃｈサラウンドを構成してサブウーハ信号はフロントＬ，Ｒ信号に混合されフロントスピーカ８Ｌ，８Ｒによって再生することができ、また少なくともフロントスピーカ８Ｌ，８Ｒが接続されていればサブウーハ信号をフロント信号に混合することによりフロント信号の低音を増強することができることとなる。
【００３２】
（実施の形態２）
次に、図４は本発明の第２の実施の形態における音響装置のブロック図を示す。なお、図１に示して説明した構成については同じ構成であるので、その詳細な説明は省略する。
【００３３】
本実施の形態では前述の第１の実施形態とはサブウーハ出力端子５ＬＦＥにサブウーハ接続検出手段５１ＬＦＥが付加されることが異なる。図４におけるサブウーハ出力端子５ＬＦＥを示す記号が図１とは違っているが、出力端子としては実質的に同じ物を示している。
【００３４】
サブウーハ出力端子５ＬＦＥに図示しないアクティブサブウーハ９ＬＦＥが接続されているか非接続であるかをサブウーハ接続検出手段５１ＬＦＥで検出し制御部７Ａで認識される。
【００３５】
以上のように構成された音響装置について、図５のフローチャートを参照しながら説明する。なお、図３に示して説明したフローについては同じフローであるので詳細な説明は省略する。
【００３６】
本実施の形態のフローチャートでは前述の第１の実施形態とはサブウーハ接続検出手段の入力による判断が入ることとなり、この点で異なる。
【００３７】
以下、その異なる点を中心に説明する。まずステップＳ２で２秒以上の押圧が検出された場合、ステップＳ９に進み、ここでサブウーハ接続を判断するが、この接続はサブウーハ接続検出手段５１ＬＦＥの検出があるか否かにより判断し、接続がある場合はステップＳ７に進んでミキシングスイッチ６にＯＦＦの制御指令を出力する。一方、サブウーハ接続検出手段５１ＬＦＥが接続なしの検出をした場合は、ステップＳ６に進みミキシングスイッチ６がＯＮか否かを判断することとなり、以後の処理は前述の図３のフローと同じ処理がなされることとなる。
【００３８】
すなわち、サブウーハ出力端子５ＬＦＥに、アクティブサブウーハ９ＬＦＥを接続した場合は、サブウーハ接続検出手段５１ＬＦＥの出力により、操作部７Ｂの２秒以上の押圧があれば自動的にミキシングスイッチ６をＯＦＦすることとなる。また、アクティブサブウーハ９ＬＦＥが接続されていない場合は、操作部７Ｂの２秒以上の押圧がある毎にミキシングスイッチ６のＯＮ・ＯＦＦ切換を行うこととなる。
【００３９】
以上のように本実施形態によれば、ミキシングスイッチ６のＯＮ・ＯＦＦにアクティブサブウーハを接続状態が反映され、アクティブサブウーハ接続状態ではミキシングスイッチ６はＯＦＦでフロント信号のＣＨ独立性を確立し、アクティブサブウーハ非接続の場合にはミキシングスイッチ６のＯＮ、ＯＦＦのどちらかを選択することが可能な構成とすることができる。
【００４０】
（実施の形態３）
次に、図６は本発明の第３の実施の形態における音響装置のブロック図を示す。なお、図１に示して説明した構成については同じ構成であるので、その詳細な説明は省略する。
【００４１】
本実施の形態では前述の第１の実施形態とは、フロントＬとフロントＲの増幅回路が高域増幅回路４ＬＨ，４ＲＨと低音増強可変付き低域増幅回路４ＬＬ，４ＲＬとに分離されてフロント信号出力も５ＬＨ，５ＬＬ，５ＲＨ，５ＲＬに分離されていること、およびミキシングスイッチ６でサブウーハ信号は低音増強可変つき低域増幅回路４ＬＬ，４ＲＬにのみ混合され、高域増幅回路４ＬＨ，４ＲＨには混合されないことが異なるので、この点について説明する。
【００４２】
フロント信号を高域信号と低域信号に分離し、低域信号にのみサブウーハ信号を混合する構成によって、高域信号はＣＨの独立性が保たれる。またマルチアンプ構成にすることによって増幅回路の忠実度を向上できるばかりでなく、高域と低域の増幅利得を独立して設定できることから低音増強の自由度が増す。
【００４３】
以上のように本実施形態によれば、サブウーハ信号をフロント信号に混合した場合でもフロント高域ではＣＨの独立性が保たれるとともに、フロント信号の低音増強可変の範囲を大きくとることが可能な構成とすることができる。
【００４４】
なお、実施の形態３においてフロントＬ，Ｒの信号を高域と低域に分離するフィルタはそれぞれ高域増幅回路４ＬＨ，４ＲＨと低音増強可変付き低域増幅回路４ＬＬ，４ＲＬに含むが、低域のフィルタを低音増強可変付き低域増幅回路４ＬＬ，４ＲＬから独立させてミキシングスイッチ６の前段に備える構成にそのまま応用してもよい。
【００４５】
また、上記実施の形態１〜３ではサブウーハ出力端子にアンプ内蔵型サブウーハであるアクティブサブウーハを接続する構成としたが、個別のアンプとサブウーハを接続する構成にそのまま応用してもよい。
【００４６】
【発明の効果】
以上のように本発明によれば、少なくともフロント信号とサブウーハ信号を有するマルチチャンネル入力の再生において、サブウーハ出力端子を使用しない場合はミキシングスイッチのＯＮによりフロント信号にサブウーハ信号をミキシングしてフロント信号出力端子より出力することができ、サブウーハ出力端子を使用する場合はミキシングスイッチＯＦＦによりフロント信号とサブウーハ信号の独立性を保つことができ、また、低音増強制御手段による制御として、低音増強可変付き増幅回路による低音増強機能に加えて、ミキシングスイッチのＯＮによりフロント信号にサブウーハ信号をミキシングして低音増強することができ、またサブウーハを必要とするときだけアクティブサブウーハを選択装備すればよいので、複合マルチチャンネル再生だけでよいときにはサブウーハ用増幅器がなくてもよいという有利な効果が得られる。
【図面の簡単な説明】
【図１】本発明の第１の実施の形態による音響装置のブロック図
【図２】同音響装置と外部機器の接続の一実施形態のブロック構成図
【図３】本発明の第１の実施の形態の低音増強制御手順を示すフローチャート
【図４】本発明、第２の実施の形態による音響装置のブロック図
【図５】同実施の形態の低音増強制御手順を示すフローチャート
【図６】本発明、第３の実施の形態による音響装置のブロック図
【図７】従来の音響装置のブロック構成図
【符号の説明】
１，１６  再生手段
２，１２  サラウンド処理部
３  マルチチャンネル入力部
３Ｌ，３Ｒ，３Ｃ，３ＬＳ，３ＲＳ，３ＬＦＥ  信号入力端子
４Ｃ，４ＬＳ，４ＲＳ  増幅回路
４Ｌ，４Ｒ  低音増幅可変付き増幅回路
４ＬＨ，４ＲＨ  高域増幅回路
４ＬＬ，４ＲＬ  低音増強可変付き低域増幅回路
５Ｌ，５Ｒ，５Ｃ，５ＬＳ，５ＲＳ，５ＬＦＥ，５ＬＨ，５ＬＬ，５ＲＨ，５ＲＬ，１５  出力端子
５１ＬＦＥ  サブウーハ接続検出手段
６  ミキシングスイッチ
７  低音増強制御手段
７Ａ，１７  制御手段
７Ｂ  操作部
７Ｃ  表示部
８Ｌ，８Ｒ，８Ｃ，８ＬＳ，８ＲＳ，１８Ｌ，１８Ｒ，１８Ｃ，１８ＬＳ，１８ＲＳ  スピーカ
９ＬＦＥ  アクティブサブウーハ
１０  音響装置
１１  独立マルチチャンネル再生装置
１３  外部入力端子
１４  ５ＣＨ増幅回路
１９  ボリウム
２０  入力切り替え手段
【図１】
0003788081.tif 000002
【図２】
0003788081.tif 000003
【図３】
0003788081.tif 000004
【図４】
0003788081.tif 000005
【図５】
0003788081.tif 000006
【図６】
0003788081.tif 000007
【図７】
0003788081.tif 000008